(57)【要約】【課題】スライド作業台の張り出し量を十分に確保しつつ、作業台本体上の積載スペースを確保し、且つスライド作業台を無段階で任意の量張り出す。【解決手段】本発明の高所作業車の作業台装置は、作業台本体と、作業台本体上に載置される第1スライド作業台と、第1スライド作業台上に載置される第2スライド作業台と、第1スライド作業台及び第2スライド作業台を作業台本体の前後左右の少なくとも一方に張り出させる張り出し手段とを備え、張り出し手段は、作業台本体に設けられ、伸縮するスライドシリンダを有し、スライドシリンダの最大収縮時に、第1スライド作業台はその大部分が作業台本体の一部領域上に載置され、第2スライド作業台は、その大部分が第1スライド作業台上に載置され、スライドシリンダの最大伸長時に、第1スライド作業台はその大部分が作業台本体から張り出され、第2スライド作業台はその大部分が第1スライド作業台から張り出されることを特徴とする。【選択図】図９
2018177464.tif 000002
【特許請求の範囲】
【請求項１】
走行可能な車両に設けられた昇降手段に取り付けられ、前記昇降手段の伸長及び格納により上昇及び下降される高所作業車の作業台装置であって、
前記昇降手段に連結する作業台本体と、
前記作業台本体上にスライド可能に載置される第１スライド作業台と、
前記第１スライド作業台上にスライド可能に載置される第２スライド作業台と、
前記第１スライド作業台及び第２スライド作業台を前記作業台本体の前後左右の少なくとも一方に張り出させる張り出し手段とを備え、
前記張り出し手段は、
前記作業台本体に設けられ、前記作業台本体の前後左右の少なくとも一方の方向に伸縮するスライドシリンダを有し、
前記スライドシリンダの最大収縮時に、前記第１スライド作業台はその大部分が前記作業台本体の一部領域上に載置され、前記第２スライド作業台は、その大部分が前記第１スライド作業台上に載置され、
前記スライドシリンダの最大伸長時に、前記第１スライド作業台はその大部分が前記作業台本体から張り出され、前記第２スライド作業台はその大部分が前記第１スライド作業台から張り出されることを特徴とする高所作業車の作業台装置。
【請求項２】
前記スライドシリンダは、前記作業台本体と前記第１スライド作業台とに接続され、
前記張り出し手段は、
前記第１スライド作業台に前記スライドシリンダと直交するように設けられたガイド手段と、前記作業台本体と前記第２スライド作業台とに接続し、前記スライドシリンダの伸縮量に応じ、中央の支軸が前記ガイド手段に案内されてスライド移動することで展開及び格納されるＶ字リンクとを含むリンク機構をさらに有することを特徴とする請求項１に記載の高所作業車の作業台装置。
【請求項３】
前記一部領域の面積は、前記作業台本体上面の面積の１／２以下であることを特徴とする請求項１又は２に記載の高所作業車の作業台装置。
【請求項４】
前記スライドシリンダ最大伸長時の前記第１スライド作業台上面及び前記第２スライド作業台上面の面積の合計は、前記作業台本体上面の面積の１／２以上であることを特徴とする請求項１から３のいずれかに記載の高所作業車の作業台装置。
【発明の詳細な説明】
【技術分野】
【０００１】
本発明は、高所作業車の作業台装置に係り、より詳細には、車両の前後左右のいずれか一方に張り出す機構を有する高所作業車の作業台装置に関する。
【背景技術】
【０００２】
トンネルなどの大型の構造物の工事や保守の際、高所での作業を可能にする高所作業車は重宝されてきた。作業を行う者を作業台に乗せ、車体に設置したリフトにより作業台を上昇させることで、構造物の天井付近や壁際での作業が可能になる。しかしながら、トンネルなどの構造物では、壁面が円を描くように湾曲しており、加えて壁際に非常通路が設置されている場合も有り、車両を可能な限り壁に近づけたとしても、水平方向の距離が足りず、壁際での作業ができないことが有った。
【０００３】
このような事態に対処するため、特許文献１や特許文献２のような高所作業車の作業台装置が開発されている。すなわち、特許文献１の装置は、主昇降作業台とスライド作業台を有し、スライドシリンダにより、主昇降作業台からスライド作業台が張り出すようになっている。また、特許文献２の装置は、昇降作業台とスライド作業台を有し、スライド体を引き出して各作業床部を倒すことで、昇降作業台からスライド作業台を張り出すようになっている。
【先行技術文献】
【特許文献】
【０００４】
【特許文献１】特開平１０−６７４９３号公報
【特許文献２】特開２０１１−１１１３１２号公報
【発明の概要】
【発明が解決しようとする課題】
【０００５】
しかしながら、特許文献１の装置は、車両の左右両方にスライド作業台が張り出す構造である。そのため、スライド作業台の最大張り出し量は、二つのスライド作業台が主昇降作業台上で干渉せずに済む量、すなわち、主昇降作業台の幅の半分までとなる。それゆえ、スライド作業台の十分な張り出し量を確保できなかった。仮に、スライド作業台が車両の左右のどちらか一方に張り出す構造とした場合、最大張り出し量は、主昇降作業台の幅となる。しかしながら、この場合、格納状態でスライド作業台が主昇降作業台の上面全域を覆ってしまうため、主昇降作業台上に積載スペースを確保することができなくなってしまっていた。
【０００６】
一方、特許文献２の装置は、積載スペースを確保できるものの、張り出し量は固定された複数段階に設定できるに留まり、無段階で任意の量の張り出しを行うことはできなかった。そのため、微妙な張り出し量の調整ができずに、作業対象に対して最適な作業位置にスライド作業台を設置できないという点で、改善の余地が有った。
本発明は、上記の点に鑑みてなされたものであり、スライド作業台の張り出し量を十分に確保しつつ、作業台本体上の積載スペースを確保し、且つスライド作業台を無段階で任意の量張り出すことのできる高所作業車の作業台装置を提供することを目的とする。
【課題を解決するための手段】
【０００７】
本発明の高所作業車の作業台装置は、走行可能な車両に設けられた昇降手段に取り付けられ、前記昇降手段の伸長及び格納により上昇及び下降される高所作業車の作業台装置であって、前記昇降手段に連結する作業台本体と、前記作業台本体上にスライド可能に載置される第１スライド作業台と、前記第１スライド作業台上にスライド可能に載置される第２スライド作業台と、前記第１スライド作業台及び第２スライド作業台を前記作業台本体の前後左右の少なくとも一方に張り出させる張り出し手段とを備え、前記張り出し手段は、前記作業台本体に設けられ、前記作業台本体の前後左右の少なくとも一方の方向に伸縮するスライドシリンダを有し、前記スライドシリンダの最大収縮時に、前記第１スライド作業台はその大部分が前記作業台本体の一部領域上に載置され、前記第２スライド作業台は、その大部分が前記第１スライド作業台上に載置され、前記スライドシリンダの最大伸長時に、前記第１スライド作業台はその大部分が前記作業台本体から張り出され、前記第２スライド作業台はその大部分が前記第１スライド作業台から張り出されることを特徴とする。
【０００８】
また、前記スライドシリンダは、前記作業台本体と前記第１スライド作業台とに接続され、前記張り出し手段は、前記第１スライド作業台に前記スライドシリンダと直交するように設けられたガイド手段と、前記作業台本体と前記第２スライド作業台とに接続し、前記スライドシリンダの伸縮量に応じ、中央の支軸が前記ガイド手段に案内されてスライド移動することで展開及び格納されるＶ字リンクとを含むリンク機構をさらに有するよう構成しても良い。
さらに、前記一部領域の面積は、前記作業台本体上面の面積の１／２以下であるように構成しても良い。
また、前記スライドシリンダ最大伸長時の前記第１スライド作業台上面及び前記第２スライド作業台上面の面積の合計は、前記作業台本体上面の面積の１／２以上であるように構成しても良い。
【発明の効果】
【０００９】
本願発明では、スライドシリンダ最大伸長時に、作業台本体から第１スライド作業台が張り出されるのに加え、さらに第１スライド作業台から第２スライド作業台が張り出されるので、十分な張り出し量を確保することができる。また、スライドシリンダ最大収縮時に、作業台本体の一部領域上に載置された第１スライド作業台上に第２スライド作業台の大部分が載置された状態になるため、第２スライド作業台が作業台本体の残りの領域を覆うことはなく、作業台本体上に積載スペースを確保することができる。さらに、張り出し手段が、作業台本体の前後左右の少なくとも一方の方向で伸縮するスライドシリンダを有することで、第１スライド作業台及び第２スライド作業台をその伸縮量に応じて張り出すことができ、第１スライド作業台及び第２スライド作業台を無段階で任意の量張り出すことができる。このように、スライド作業台の張り出し量を十分に確保しつつ、作業台本体上の積載スペースを確保し、且つスライド作業台を無段階で任意の量張り出すことのできる高所作業車の作業台装置を提供することができる。
【図面の簡単な説明】
【００１０】
【図１】高所作業車１０に搭載された本発明の一実施例である高所作業車の作業台装置１００の概要図。
【図２】図１の高所作業車の作業台装置１００の上面図（第１スライド作業台１２０及び第２スライド作業台１３０張り出し前）。
【図３】図１の高所作業車の作業台装置１００の上面図（第１スライド作業台１２０及び第２スライド作業台１３０張り出し後）。
【図４】図３の高所作業車の作業台装置１００の背面図。
【図５】本発明の一実施例である高所作業車の作業台装置１００の下方からの斜視図（第１スライド作業台１２０及び第２スライド作業台１３０張り出し前）。
【図６】図５の高所作業車の作業台装置１００の張り出し手段１４０付近の下面図（第１スライド作業台１２０及び第２スライド作業台１３０張り出し前）。
【図７】図６の高所作業車の作業台装置１００のＡ−Ａ線拡大断面図。
【図８】図６の高所作業車の作業台装置１００のＢ−Ｂ線拡大断面図。
【図９】本発明の一実施例である高所作業車の作業台装置１００の下方からの斜視図（第１スライド作業台１２０及び第２スライド作業台１３０張り出し後）。
【図１０】図９の高所作業車の作業台装置１００の張り出し手段１４０付近の下面図である（第１スライド作業台１２０及び第２スライド作業台１３０張り出し後）。
【発明を実施するための形態】
【００１１】
図１を参照すると、本発明の一実施例である高所作業車の作業台装置１００は、走行可能な高所作業車１０に搭載されている。高所作業車１０は、運転席が設けられるキャビン１１と、走行用の各車輪Ｔと、メインフレームＭＦとメインフレームＭＦ上に一体的に設けられるサブフレームＳＦとからなる高剛性の車体フレーム１２と、車体フレーム１２の前側左右及び後側左右に設けられ、高所作業時に伸長して接地し、車両を支持するジャッキ１３と、サブフレームＳＦ上に設けられるリフトリンク機構１４と、油圧により伸縮し、リフトリンク機構１４を伸長（展開）及び格納させるリフトシリンダＬＣとを有する。本発明の一実施例である高所作業車の作業台装置１００は、リフトリンク機構１４に取り付けられ、リフトリンク機構１４の伸長（展開）及び格納に応じて、略水平に上昇及び下降されるようになっている。
【００１２】
図２〜図１０を参照すると、本発明の一実施例である高所作業車の作業台装置１００は、作業台本体１１０上にスライド可能に載置される第１スライド作業台１２０と、第１スライド作業台１２０上スライド可能に載置される第２スライド作業台１３０と、第１スライド作業台１２０及び第２スライド作業台１３０を作業台本体１１０から張り出させる張り出し手段１４０とを備えている。本実施例では、第１スライド作業台１２０と第２スライド作業台１３０とが２つずつ設けられている。
【００１３】
作業台本体１１０は、縦横にフレームを枠組みして形成される本体フレーム１１１と、ビーム挿入体１１２と、本体フレーム１１１上に敷設されるデッキ１１３と、転落防止用の手摺１１４と、を有する。ビーム挿入体１１２は、作業台本体１１０の幅方向（短手方向）に延伸し、本体フレーム１１１と一体的に構成されている。また、手摺１１４は、作業台本体１１０の長さ方向（長手方向）の両端及び幅方向（短手方向）の一端に設けられている。さらに、作業台本体１１０には、積載物を置くための積載スペースＬＳが確保されている。
【００１４】
第１スライド作業台１２０は、縦横にフレームを枠組みして形成される第１スライドフレーム１２１と、ビーム支持体１２２と、第１スライドフレーム１２１上に敷設されたデッキ１２３と、転落防止用の手摺１２４と、転倒防止用のスロープＳ１とを有する。ビーム支持体１２２は、第１スライドフレーム１２１の下面に取り付けられている。また、手摺１２４は、第１スライド作業台１２０の長手方向の両端のみに設けられている。さらに、スロープＳ１は、第１スライド作業台１２０の短手方向の一方の端部に設けられている。
【００１５】
第１スライド作業台１２０は、張り出しが行われる前の状態において、その一部は作業台本体１１０からはみ出すものの、その大部分は作業台本体１１０上に載置されている（図２、図５参照）。この時、作業台本体１１０上面の一部領域が第１スライド作業台１２０により覆われる。本実施例では、第１スライド作業台１２０により覆われる一部領域の面積は、作業台本体１１０上面の面積の半分以下である。
また、第１スライド作業台１２０は、最大限張り出された状態において、一部は、作業台本体１１０上に載置されるものの、その大部分は、作業台本体１１０からはみ出す（図３、図９参照）。
【００１６】
第２スライド作業台１３０は、縦横にフレームを枠組みして形成される第２スライドフレーム１３１と、スライドビーム１３２と、第２スライドフレーム１３１上に敷設されたデッキ１３３と、転落防止用の手摺１３４と、第２スライドフレーム１３１の下方に設けられるアンダーバーＵＢと、転倒防止用のスロープＳ２とを有する。スライドビーム１３２は、ビーム支持体１２２を貫通し、一端がアンダーバーＵＢに取り付けられ、他端が作業台本体１１０のビーム挿入体１１２内にスライド可能に挿入されている。また、手摺１３４は、第２スライド作業台１３０の長手方向の両端及び短手方向の一方の端部に設けられている。さらに、スロープＳ２は、第２スライド作業台１３０の短手方向の他方の端部に設けられている。また、第２スライド作業台１３０の短手方向の長さは、第１スライド作業台１２０の短手方向の長さとほぼ同じである。
【００１７】
第２スライド作業台１３０は、張り出しが行われる前の状態において、一部は第１スライド作業台１２０から作業台本体１１０外方へとはみ出すものの、その大部分（残りの部分）は第１スライド作業台１２０上に載置されている（図２、図５参照）。そのため、第２スライド作業台１３０が作業台本体１１０を直接覆うことはない。これにより、作業台本体１１０に第１スライド作業台１２０及び第２スライド作業台１３０に覆われない領域ができ、積載スペースＬＳを確保することができる。そのため、積載スペースＬＳに積載物を置き、安定的に固定することができる。
【００１８】
また、第２スライド作業台１３０は、最大限張り出された状態において、一部は第１スライド作業台１２０上に載置されるものの、その大部分は第１スライド作業台１２０からはみ出す（図３、図９参照）。ここで、第１スライド作業台１２０は、作業台本体１１０の幅方向の半分近くの領域を覆っており、且つ第２スライド作業台１３０の短手方向の長さは、第１スライド作業台１２０の短手方向の長さとほぼ同じである。そのため、第１スライド作業台１２０及び第２スライド作業台１３０を最大限張り出した際には、作業台本体１１０の幅の半分以上の長さの張り出し量を確保することができる（すなわち、第１スライド作業台１２０の上面の面積と第２スライド作業台１３０の上面の面積の合計が、作業台本体１１０の上面の面積の２分の１以上になる）。
【００１９】
張り出し手段１４０は、油圧により伸縮するスライドシリンダ１４１と、ガイド手段１４５とＶ字リンク１４６とからなるリンク機構１４４を有する。
スライドシリンダ１４１は、作業台本体１１０の幅方向に渡って延伸し、一端が支軸１４２により本体フレーム１１１に取り付けられたブラケットＢＫ１に接続され、他端が支軸１４３により第１スライドフレーム１２１取り付けられたブラケットＢＫ２に接続されている。これにより、スライドシリンダ１４１が収縮状態から伸長すると、第１スライド作業台１２０がスライドシリンダ１４１の伸長量に応じて作業台本体１１０から張り出される。また、スライドシリンダ１４１が伸長状態から収縮すると、第１スライド作業台１２０がスライドシリンダ１４１の収縮量に応じて作業台本体１１０上へと格納される。
【００２０】
リンク機構１４４を構成するガイド手段１４５は、ガイドレール１４５ａと、ガイドローラ１４５ｂとを有する。ガイドレール１４５ａは、第１スライド作業台１２０の長手方向に渡って（すなわち、スライドシリンダ１４１に直交するようにして）延伸し、第１スライドフレーム１２１の下面に取り付けられている。また、ガイドローラ１４５ｂは、ガイドレール１４５ａ内に設けられ、ガイドレール１４５ａ内でスライド移動するようになっている。
【００２１】
リンク機構１４４を構成するＶ字リンク１４６は、第１リンク１４６ａと、第２リンク１４６ｂと、中央支軸１４６ｃと、本体フレーム１１１に取り付けられたブラケットＢＫ３に設けられる端部支軸１４６ｄと、アンダーバーＵＢに取り付けられたブラケットＢＫ４に設けられる支軸１４６ｅとを有する。第１リンク１４６ａは、その一端が端部支軸１４６ｄに回転可能に取り付けられ、他端が中央支軸１４６ｃに回転可能に取り付けられる。また、第２リンク１４６ｂは、その一端が端部支軸１４６ｅに回転可能に取り付けられ、他端が中央支軸１４６ｃに回転可能に取り付けられる。また、中央支軸１４６ｃは、その先端がガイドローラ１４５ｂ内に挿入され、ガイドレール１４５ａに案内されて第１スライド作業台１２０の長手方向にスライド移動するようになっている。さらに、本実施例では、第１スライド作業台１２０及び第２スライド作業台１３０一組に対し、二つのＶ字リンク１４６が用いられ、合計で４つのＶ字リンク１４６が用いられている。
【００２２】
ここで、第１リンク１４６ａが端部支軸１４６ｄに、第２リンクが端部支軸１４６ｅにそれぞれ回転可能に接続し、第１リンク１４６ａ及び第２リンク１４６ｂが中央支軸１４６ｃに回転可能に接続し、中央支軸１４６ｃがガイドレール１４５ａに案内されて第１スライド作業台１２０の長手方向にスライド移動するようになっていることで、スライドシリンダ１４１を伸長して第１スライド作業台１２０が作業台本体１１０から張り出されると、スライドシリンダ１４１の伸長量に応じて第１リンク１４６ａが回転する。そして、中央支軸１４６ｃが第１スライド作業台１２０の端側に引かれてガイドレール１４５ａ内をスライド移動する。これに伴い、第２リンク１４６ｂが回転して、アンダーバーＵＢを押す。これにより、第２スライド作業台１３０がスライドシリンダ１４１の伸長量に応じて第１スライド作業台１２０から張り出されるようになっている。
【００２３】
また、スライドシリンダ１４１を収縮して第１スライド作業台１２０が作業台本体１１０上に格納されると、スライドシリンダ１４１の収縮量に応じてスライドシリンダ１４１伸長時とは逆方向に第１リンク１４６ａが回転する。そして、中央支軸１４６ｃが第１スライド作業台１２０の中央側に引かれてガイドレール１４５ａ内をスライド移動する。これに伴い、第２リンク１４６ｂがスライドシリンダ１４１伸長時とは逆方向に回転して、アンダーバーＵＢを引く。これにより、第２スライド作業台１３０がスライドシリンダ１４１の収縮量に応じて第１スライド作業台１２０上に格納されるようになっている。
【００２４】
このように、リンク機構１４４を用いることで、スライドシリンダ１４１の伸縮量に応じて、第２スライド作業台１３０を第１スライド作業台１２０から張り出し及び第１スライド作業台１２０上へと格納することができる。ここで、第１スライド作業台１２０も、スライドシリンダ１４１の伸縮量に応じて作業台本体１１０から張り出され及び作業台本体１１０上へと格納されるものである。そのため、スライドシリンダ１４１の伸縮量を調整することにより、第１スライド作業台１２０及び第２スライド作業台１３０の張り出し量を調整することができる。このように、第１スライド作業台１２０及び第２スライド作業台１３０を無段階で任意の量張り出すことができる。
【００２５】
次に、本実施例の高所作業車の作業台装置１００の動作を説明する。
作業台装置１００の動作開始前、すなわち、スライドシリンダ１４１の最大収縮時においては、作業台本体１１０上面の一部領域上に、第１スライド作業台１２０の大部分が載置され、第１スライド作業台１２０の上面に第２スライド作業台１３０の大部分が載置される。この時、第１リンク１４６ａの一端（端部支軸１４６ｄに取り付けられた側）と第２リンク１４６ｂの一端（端部支軸１４６ｅに取り付けられた側）とは互いに接近し、Ｖ字リンク１４６は折りたたまれた状態（格納状態）にある。
【００２６】
スライドシリンダ１４１が伸長すると、第１スライド作業台１２０は、その伸長量に応じて作業台本体１１０から張り出される。これに伴い、第１リンク１４６ａが第１スライド作業台１２０の張り出し量（すなわちスライドシリンダ１４１の伸長量）に応じて回転し、中央支軸１４６ｃが第１スライド作業台１２０の端側に引かれてガイドレール１４５ａ内をスライド移動する。これに伴い、第２リンク１４６ｂが回転して、アンダーバーＵＢを押し、第２スライド作業台１３０がスライドシリンダ１４１の伸長量に応じて張り出される。
【００２７】
スライドシリンダ１４１の最大伸長時においては、第１スライド作業台１２０の大部分は作業台本体１１０から張り出され、第２スライド作業台１３０の大部分は第１スライド作業台１２０から張り出される。この時、第１リンク１４６ａの一端（端部支軸１４６ｄに取り付けられた側）と第２リンク１４６ｂの一端（端部支軸１４６ｅに取り付けられた側）とは互いに離隔し、Ｖ字リンク１４６は展開された状態（展開状態）にある。
【００２８】
スライドシリンダ１４１が伸長状態から収縮すると、第１スライド作業台１２０は、その収縮量に応じて作業台本体１１０上へと格納される。これに伴い、第１リンク１４６ａが第１スライド作業台１２０の収縮量（すなわちスライドシリンダ１４１の収縮量）に応じてスライドシリンダ１４１伸長時とは逆方向に回転し、中央支軸１４６ｃが第１スライド作業台１２０の中央側に引かれてガイドレール１４５ａ内をスライド移動する。これにより、第２リンク１４６ｂがスライドシリンダ１４１伸長時とは逆方向に回転して、アンダーバーＵＢを引き、第２スライド作業台１３０がスライドシリンダ１４１の収縮量に応じて第１スライド作業台１２０上へと格納される。
【００２９】
次に、本実施例の高所作業車の作業台装置１００の使用方法について説明する。
高所作業車１０を作業対象の近くに止め、図示しない作業員が作業台装置１００上に乗った段階で、油圧の力でリフトリンク機構１４を伸長（展開）し、作業台装置１００を作業対象付近の高さまで上昇させる。次いで、作業台装置１００上（例えば、第２スライド作業台１３０上）に設置された図示しない操作盤により、作業員が第１スライド作業台１２０及び第２スライド作業台１３０の張り出し操作を行う。すると、スライドシリンダ１４１が油圧により伸長し、第１スライド作業台１２０が張り出されるとともに、リンク機構１４４により第２スライド作業台も張り出される。
【００３０】
ここで、作業員は、作業対象の位置に応じて、操作盤により張り出し操作を行うことで、第１スライド作業台１２０及び第２スライド作業台１３０を適切な量だけ張り出す。これにより、作業対象に対して、最適な作業位置で安全に作業を行うことができる。作業対象への作業が終わった場合は、操作盤により格納操作を行う。すると、スライドシリンダ１４１が収縮し、第１スライド作業台１２０が作業台本体１１０へと格納されるとともに、リンク機構１４４により第２スライド作業台１３０も第１スライド作業台１２０上へと格納される。なお、格納操作は、第１スライド作業台１２０及び第２スライド作業台１３０を張り出し過ぎた際に、張り出し量を調整するために行うこともできる。第１スライド作業台１２０及び第２スライド作業台１３０が完全に格納されたら、作業台装置１００をリフトリンク機構１４により下降させて、一連の作業を終了する。
【００３１】
以上のように、本実施例の高所作業車の作業台装置１００では、スライドシリンダ１４１最大伸長時に、作業台本体１１０から第１スライド作業台１２０が張り出されるのに加え、さらに第１スライド作業台１２０から第２スライド作業台１３０が張り出されるので、十分な張り出し量を確保することができる。また、スライドシリンダ１４１最大収縮時に、作業台本体１１０の一部領域上に載置された第１スライド作業台１２０上に第２スライド作業台１３０の大部分が載置された状態になるため、第２スライド作業台１３０が作業台本体１１０の残りの領域を覆うことはなく、作業台本体１１０上に積載スペースＬＳを確保することができる。さらに、張り出し手段１４０が、伸縮するスライドシリンダを有することで、第１スライド作業台１２０及び第２スライド作業台１３０をその伸縮量に応じて張り出すことができ、第１スライド作業台１２０及び第２スライド作業台１３０を無段階で任意の量張り出すことができる。このように、スライド作業台（第１スライド作業台１２０及び第２スライド作業台１３０）の張り出し量を十分に確保しつつ、作業台本体１１０上の積載スペースＬＳを確保し、且つスライド作業台を無段階で任意の量張り出すことができる。
【００３２】
なお、本実施例では、第１スライド作業台１２０及び第２スライド作業台１３０を作業台本体１１０の左側方向へと張り出しているが、張り出し方向はこれに限られず、第１スライド作業台１２０及び第２スライド作業台１３０を作業台本体１１０の前後左右のいずれか一方に張り出すようにしても良い。
また、本実施例では、スライドシリンダ１４１は、油圧シリンダを想定しているが、空圧シリンダや、その他のアクチュエータを用いても良い。
さらに、本実施例では、リンク機構１４４を用いることで、第２スライド作業台１３０の張り出し及び格納を行っているが、スライドシリンダ１４１を多段シリンダに変更し、多段シリンダにより第１スライド作業台１２０及び第２スライド作業台１３０の張り出し及び格納を行うようにしても良い。
【００３３】
また、本実施例では、第１スライド作業台１２０及び第２スライド作業台１３０の張り出し操作及び格納操作を行う図示しない操作盤を、第２スライド作業台１３０上に設置することとしたが、作業台本体１１０上や他の場所に設置するようにしても良い。
さらに、参考として、本実施例では、スライド作業台の個数は、第１スライド作業台１２０と第２スライド作業台１３０の二つであったが、これよりも多い数のスライド作業台を用いることが考えられる。この場合、積み重なるスライド作業台の数が増えるため、より多くの張り出し量を確保することができる。
【００３４】
以上に、本発明の一実施例である高所作業車の作業台装置１００を説明したが、本発明は、上記の実施例に限定されることなく、本発明の技術思想を逸脱しない範囲で、多様に変形して実施することが出来る。
【符号の説明】
【００３５】
１００    高所作業車の作業台装置
１０    高所作業車
１１０    作業台本体
１２０    第１スライド作業台
１３０    第２スライド作業台
１４０    張り出し手段
１４１    スライドシリンダ
１４４    リンク機構
１４５    ガイド手段
１４５ａ  ガイドレール
１４５ｂ  ガイドローラ
１４６    リンク
１４６ａ  第１リンク
１４６ｂ  第２リンク
１４６ｃ  中央支軸
１４６ｄ  端部支軸
１４６ｅ  端部支軸
ＵＢ    アンダーバー
【図１】
2018177464.tif 000003
【図２】
2018177464.tif 000004
【図３】
2018177464.tif 000005
【図４】
2018177464.tif 000006
【図５】
2018177464.tif 000007
【図６】
2018177464.tif 000008
【図７】
2018177464.tif 000009
【図８】
2018177464.tif 000010
【図９】
2018177464.tif 000011
【図１０】
2018177464.tif 000012